(57)【特許請求の範囲】
【請求項１】
情報機器と無線通信可能な情報処理装置であって、
前記情報機器が前記情報処理装置の無線通信範囲内外に移動した回数を機器情報として格納する格納手段と、
前記情報機器が無線通信範囲内外に移動した回数に応じて前記機器情報を変更し、前記機器情報に基づいて無線通信圏内外の境界付近に位置する情報機器を検出する制御手段と、
前記検出した情報機器を特定する識別情報の表示方法を変化させる表示手段とを有することを特徴とする情報処理装置。
【請求項２】
前記機器情報は、前記情報機器が前記情報処理装置の無線通信範囲内から無線通信範囲外へ移動した回数であって、
前記制御手段は、前記情報機器が無線通信範囲内から無線通信範囲外へ移動した回数に応じて前記機器情報を変更し、無線通信圏内外の境界付近に位置する情報機器を検出することを特徴とする請求項１記載の情報処理装置。
【請求項３】
前記機器情報は、前記情報機器が前記情報処理装置の無線通信範囲外から無線通信範囲内へ移動した回数であって、
前記制御手段は、前記情報機器が無線通信範囲外から無線通信範囲内へ移動した回数に応じて前記機器情報を変更し、無線通信圏内外の境界付近に位置する情報機器を検出することを特徴とする請求項１記載の情報処理装置。
【請求項４】
前記機器情報は、更に、前記情報機器が前記情報処理装置の通信範囲内に存在する累計存在時間を含み、
前記制御手段は、前記機器情報に含まれる累計存在時間が同じ情報機器が複数個ある場合、前記機器情報に含まれる移動した回数に基づいて無線通信圏内外の境界付近に位置する情報機器を検出することを特徴とする請求項１記載の情報処理装置。
【請求項５】
前記機器情報は、更に、前記情報機器が前記情報処理装置の通信範囲外から通信範囲内へ移動した後の経過時間を含み、
前記制御手段は、前記機器情報に含まれる経過時間が同じ情報機器が複数個ある場合、前記機器情報に含まれる移動した回数に基づいて無線通信圏内外の境界付近に位置する情報機器を検出することを特徴とする請求項１記載の情報処理装置。
【請求項６】
情報機器と無線通信可能な情報処理装置における表示方法であって、前記情報処理装置は、前記情報機器が前記情報処理装置の無線通信範囲内外に移動した回数を機器情報として格納する格納手段を備え、
前記情報機器からの通知を受信する受信ステップと、
前記情報処理装置が無線通信範囲内外に移動したか否かを判定する判定ステップと、
前記情報機器が無線通信範囲内外に移動した回数に応じて前記機器情報を変更し、前記機器情報に基づいて無線通信圏内外の境界付近に位置する情報機器を検出する制御ステップと、
前記検出した情報機器を特定する識別情報の表示を変化させる表示ステップとを有することを特徴とする情報処理方法。
【発明の詳細な説明】
【０００１】
【発明の属する技術分野】
本発明は、無線通信手段や有線通信手段を保持する情報処理装置に関し、特に、近傍に存在する周辺機器を検知し、それぞれの周辺機器の状態を表示する情報処理装置に関するものである。
【０００２】
【従来の技術】
パーソナルコンピュータ（以下、ＰＣと略称する）のＯＳであるＷｉｎｄｏｗｓ９５、９８、２０００には、ネットワークに存在するＰＣを検出し、ＰＣ名をディスプレイ上に表示する機能が存在する。
【０００３】
また、無線通信機器において、通信範囲内に存在する複数の周辺機器から取得した周辺機器を特定するための識別情報を表示し、表示の中から所望の周辺機器を選択することによって、容易に所望の周辺機器との無線接続を確立することを可能とする無線ＬＡＮの接続先選択方法が、特開２００１−１４４７６７号公報に示されている。
【０００４】
【発明が解決しようとする課題】
しかしながら、Ｗｉｎｄｏｗｓ９５、９８、２０００におけるネットワーク上のＰＣ検出表示機能では、一度検出を行ったＰＣがそのネットワークから離脱したことをユーザが知るためには、再度、ユーザが再検出操作を行う必要があった。
【０００５】
また、特開２００１−１４４７６７号公報に示されている無線ＬＡＮの接続先選択方法では、無線ＬＡＮ上に検出した周辺機器を示す識別情報が表示されるのみであり、無線ＬＡＮ上に参加及び離脱した周辺機器の状況に応じて識別情報を変更表示することはできない。
【０００６】
小型でユーザが持ち運びできるＰＤＡ（Ｐｅｒｓｏｎａｌ  Ｄｉｇｉｔａｌ  Ａｓｓｉｓｔａｎｔ）や携帯電話などの端末に無線ＬＡＮを構築する機能が搭載されている際には、ユーザが移動することによって、頻繁に、参加している無線ＬＡＮから端末が離脱したり、再度、参加したりするというケースが考えられる。また、無線通信状態によっては、ユーザが端末を携帯して移動していなくても端末の無線ＬＡＮからの離脱、参加が頻発するような状況が起こり得る。
【０００７】
その結果、各周辺機器について、離脱、参加を繰り返している機器か、長時間参加を続けている機器かなどの判断ができず、接続を開始してすぐに通信切れが発生するなど安定した通信を行うことができないという問題が生じる。
【０００８】
本発明は、上記問題点を解決するためになされたものであり、有線及び／又は無線ネットワークで構築されたネットワークに参加する情報処理端末において、周辺に存在する不特定多数の機器それぞれの表示を行うだけでなく、それぞれの機器の通信状態やネットワークからの離脱／加入状況に応じて表示を段階的に変更し、周辺機器の状態を表示及び通知することを目的としている。
【０００９】
【課題を解決するための手段】
上記課題を解決するために、本発明の情報処理装置は、情報機器と通信可能な情報処理装置であって、前記情報機器が通信範囲内に存在する存在時間を機器情報として格納する格納手段と、前記情報機器が通信範囲内に存在する時間に応じて前記機器情報を変更する制御手段と、前記機器情報をもとに前記情報機器を特定する識別情報の表示方法を変化させる表示手段とを有することを特徴とする。
【００１０】
また、本発明の情報処理装置は、前記機器情報は、前記情報機器が前記情報処理装置の通信範囲外に存在する存在時間であって、前記制御手段は、前記情報機器が通信範囲外に存在する時間に応じて前記機器情報を変更することを特徴とする。
【００１１】
また、本発明の情報処理装置は、前記機器情報は、前記情報機器が前記情報処理装置の通信範囲内に存在する存在時間及び通信範囲外に存在する存在時間であって、前記制御手段は、前記情報機器が通信範囲内に存在する時間及び通信範囲外に存在する時間に応じて前記機器情報を変更することを特徴とする。
【００１２】
また、本発明の情報処理装置は、情報機器と通信可能な情報処理装置であって、前記情報機器の通信状態を機器情報として格納する格納手段と、前記情報機器の通信状態に応じて前記機器情報を変更する制御手段と、前記機器情報をもとに前記情報機器を特定する識別情報の表示方法を変化させる表示手段とを有することを特徴とする。
【００１３】
また、本発明の情報処理装置は、情報機器と通信可能な情報処理装置であって、前記情報機器が前記情報処理装置の通信範囲外から通信範囲内へ移動した後の経過時間を機器情報として格納する格納手段と、前記経過時間に応じて前記機器情報を変更する制御手段と、前記機器情報をもとに前記情報機器を特定する識別情報の表示方法を変化させる表示手段とを有することを特徴とする。
【００１４】
また、本発明の情報処理装置は、前記機器情報は、前記情報機器が前記情報処理装置の通信範囲内から通信範囲外へ移動した後の経過時間であって、前記制御手段は、前記経過時間に応じて前記機器情報を変更することを特徴とする。
【００１５】
また、本発明の情報処理装置は、前記機器情報は、前記情報機器が前記情報処理装置の通信範囲外から通信範囲内へ移動した後の経過時間と、前記情報処理装置の通信範囲内から通信範囲外へ移動した後の経過時間とであって、前記制御手段は、前記通信範囲内へ移動した後の経過時間と、前記通信範囲外へ移動した後の経過時間とに応じて前記機器情報を変更することを特徴とする。
【００１６】
また、本発明の情報処理装置は、情報機器と通信可能な情報処理装置であって、前記情報機器が前記情報処理装置の通信範囲外から通信範囲内へ移動した回数を機器情報として格納する格納手段と、前記情報機器が通信範囲外から通信範囲内へ移動した回数に応じて前記機器情報を変更する制御手段と、前記機器情報をもとに前記情報機器を特定する識別情報の表示方法を変化させる表示手段とを有することを特徴とする。
【００１７】
また、本発明の情報処理装置は、前記機器情報は、前記情報機器が前記情報処理装置の通信範囲内から通信範囲外へ移動した回数であって、前記制御手段は、前記情報機器が通信範囲内から通信範囲外へ移動した回数に応じて前記機器情報を変更することを特徴とする。
【００１８】
また、本発明の情報処理装置は、前記機器情報は、前記情報機器が前記情報処理装置の通信範囲外から通信範囲内へ移動した回数と、前記情報処理装置の通信範囲内から通信範囲外へ移動した回数とであって、前記制御手段は、前記情報機器が通信範囲内へ移動した回数と、前記情報機器が通信範囲外へ移動した回数とに応じて前記機器情報を変更することを特徴とする。
【００１９】
また、本発明の情報処理装置は、情報機器と通信可能な情報処理装置であって、通信範囲内に存在した前記情報機器に関する機器情報を格納する格納手段と、前記情報機器が通信範囲内に存在するか否かによって前記機器情報を変更する制御手段と、前記機器情報をもとに前記情報機器を特定する識別情報の表示方法を段階的に変化させる表示手段とを有することを特徴とする。
【００２０】
また、本発明の情報処理装置は、前記表示手段の代わりに、前記機器情報をもとに前記情報機器の通知方法を変更させる通知手段とを有することを特徴とする。
【００２１】
また、本発明の情報処理装置の前記通知手段は、発光装置であることを特徴とする。また、本発明の情報処理装置の前記通知手段は、振動装置であることを特徴とする。また、本発明の情報処理装置の前記通知手段は、音発生装置であることを特徴とする。
【００２２】
【発明の実施の形態】
以下、本発明の実施の形態を図面を用いて詳細に説明する。図１は、本発明の実施の形態における無線ネットワークを利用する通信システムの構成図である。この通信システムは、情報処理装置１０１と、情報処理装置１０１が通信可能とする無線ネットワークの通信範囲１０２と、無線ネットワークを介して情報処理装置１０１と直接通信することが可能な複数の情報機器１０３、１０４、１０５とから構成されている。情報機器１０３、１０４は、情報処理装置１０１の通信範囲内に位置しており、情報機器１０５は、情報処理装置１０１の通信範囲外に位置している。
【００２３】
情報処理装置１０１と情報機器１０３、１０４、１０５は、無線ネットワークによって通信を行うことを可能とするＰＣ、携帯電話、ＰＤＡ、デジタルカメラ、ＦＡＸ、プリンタ、スキャナ、オーディオ機器、家電機器等である。通信範囲１０２は、情報処理装置１０１がＢｌｕｅｔｏｏｔｈやＰＨＳ（Ｐｅｒｓｏｎａｌ  Ｈａｎｄｙ−ｐｈｏｎｅ  Ｓｙｓｔｅｍ）、無線ＬＡＮ等を用いて通信を行うことを可能とする無線ネットワークの通信範囲である。なお、通信範囲１０２は、ＩｒＤＡといった１対１で通信する場合であっても構わない。更に、情報処理装置１０１と情報機器１０３、１０４、１０５間の通信方式（Ｂｌｕｅｔｏｏｔｈ、ＰＨＳ、ＩｒＤＡ等）は、全情報機器で同じであってもよいし、各情報機器毎に異なっていても構わない。従って、通信範囲１０２が、各情報機器毎に異なっていても、同じでもよいことは明らかである。
【００２４】
なお、無線ネットワークの代わりに有線ネットワークを用いることも可能である。図９は、実施の形態における有線ネットワークを利用する通信システムの構成図である。この通信システムは、情報処理装置９０１と、通信ケーブル９０２と、通信ケーブル９０２を介して情報処理装置９０１と通信することが可能な情報機器９０３、９０４、９０５、９０６とから構成されている。
【００２５】
情報処理装置９０１と情報機器９０３、９０４、９０５、９０６は、有線ネットワークを介して通信を行うことを可能とするＰＣ、携帯電話、ＰＤＡ、デジタルカメラ、オーディオ機器、家電機器等である。通信ケーブル９０２は、Ｅｔｈｅｒｎｅｔや光ケーブル、トークンリング等である。なお、シリアルケーブルなどの１対１で通信する場合であっても構わない。また、通信ケーブル９０２に接続している情報機器が必ずしも情報処理装置９０１の通信可能範囲内にあるとは限らない。なお、以下の説明は、便宜上、無線ネットワークを用いる場合について示しているが、有線ネットワークを利用した場合や、無線ネットワークと有線ネットワークの両方を利用した場合も同様である。
【００２６】
図２は、図１に示す情報機器と情報処理装置の構成の一例を示すブロック図である。図２において、情報機器２０１は、送受信部２０２を備え、情報処理装置２０３は、送受信部２０４と、通知部２０５と、制御部２０６と、表示部２０７と、格納部２０８とを備えている。
【００２７】
送受信部２０２は、情報機器２０１が情報処理装置２０３の通信範囲内に存在する場合に、情報機器２０１を特定する識別情報を情報処理装置２０３へ通知する。この識別情報の通知は、情報機器２０１が情報処理装置２０３からの検知信号を受信した際に、通信範囲内に存在すると判断し、検知信号に対する応答として通知してもよい。また、情報機器２０１が識別情報を一定間隔で送出し、通信範囲内に存在する場合のみ情報処理装置２０３が識別情報を受信可能となることにより、識別情報が情報処理装置２０３に通知されるとしてもよい。
【００２８】
送受信部２０４は、情報機器２０１が送信した識別情報を受信し、情報機器２０１が情報処理装置２０３の通信範囲内に存在するか通信圏外に存在するかを検知し、検知結果を制御部２０６に通知する。更に、通信範囲内に存在する情報機器２０１の通信状態（電波強度や信号品質等）を検知し、検知結果として制御部２０６に通知してもよい。
【００２９】
図３は、送受信部２０４が制御部２０６に通知する情報（通知機器一覧）の一例を示す図である。周辺の情報機器を検出した結果、携帯電話（Ａ）とデジタルカメラ（Ｂ）とＰＣ（Ｃ）からの識別情報を受信し、この３個の情報機器が通信範囲内に検出できたことを示している。なお、ＴＶ、ビデオ、ＰＤＡ等の機器が検出された場合は、通知機器一覧にこれらの情報が格納される。また、通信状態として電波強度を検知する場合、前もって決定済みの閾値と比較して「強、中、弱」などに分類し、その分類結果を通知するようにしてもよい。
【００３０】
格納部２０８は、制御部２０６が送受信部２０４から通知された通知機器一覧を基に、受信した識別情報を機器情報として格納する。機器情報は、識別情報だけでなく、対応する情報機器の通信状態や通信圏内外に存在している時間、通信圏内外に移動した回数、通信圏内外に移動してからの時間等の情報を組にして保持する。図４は、格納部２０８の格納内容の一例を示す図である。機器情報には、情報処理装置２０３の通信圏内外に存在する情報機器の識別情報を示す検出機器一覧４０１、現在の通信圏内に参加しているか離脱しているかを示す通信状態４０２、通信圏内に存在している参加時間４０３、通信圏外に存在している離脱時間４０４、通信圏内から通信圏外へ離脱した離脱回数４０５が格納される。
【００３１】
図４に示した格納内容は、携帯電話（Ａ）とＰＣ（Ｃ）が情報処理装置２０３の通信範囲内に存在しており、デジタルカメラ（Ｂ）が情報処理装置２０３の通信範囲外に存在していることを示している。なお、ＴＶ、ビデオ、ＰＤＡ等の機器が検出された場合は、検出機器一覧４０１にこれらの情報が格納される。また、通信状況の代わりに通信状態を用い、「離脱」の場合は「圏外」を、「参加」の場合は「強、中、弱」などに分類し、「強、中、弱、圏外」を格納するようにしてもよい。
【００３２】
制御部２０６は、送受信部２０４からの検知情報を受け取り、格納部２０８に格納されている検出機器の登録／削除を行い、更に、登録済みの検出機器に対して通信状態や通信圏内外に存在している時間、通信圏内外に移動した回数、通信圏内外に移動してからの時間等の時間の経過にともない変化する情報を変更し、変更した旨を通知部２０５及び表示部２０７へ通知する。
【００３３】
通知部２０５は、制御部２０６の通知を受け、格納部２０８に格納されている機器情報をもとに情報機器の状態を、バイブレータ、音声、音楽、発光ダイオード等の手段を用いてユーザへ通知する。例えば、バイブレータによる振動のパターンや振動の強弱、音声や音楽のパターンや音量の大小、発光ダイオードによる発光色や発光のパターン、点滅のパターンなどを切り替えて使用し、情報機器の状態を表現することを意味する。なお、情報機器の状態の表現は、これだけに限らない。
【００３４】
表示部２０７は、周辺に存在する情報機器を特定する識別情報を表示する表示画面において、制御部２０６の通知を受け、格納部２０８に格納されている機器情報をもとに、情報機器の状態を、ディスプレイやＬＣＤ上にアイコンや文字列等を表示することによってユーザへ通知する。例えば、アイコンによる表示の場合、アイコンの濃淡やアイコンの色、アイコンのサイズの大小、点滅の速度等を切り替えて情報機器の状態を表示する。また、文字列による表示の場合、文字の色や文字の濃淡、文字のサイズの大小、点滅の速度等を切り替えて情報機器の状態を表現してもよい。更に、アイコンと文字列を組み合わせて表示したり、リスト表示を行うなども可能であり、これだけに限らない。
【００３５】
また、制御部２０６は、情報機器２０１が情報処理装置２０３の通信範囲内に存在しなくなってからの時間を監視し、時間の経過に応じて情報機器２０１を示す識別情報の表示の濃淡やサイズを変更し、一定時間ずっと通信範囲内に存在しなかった場合は、表示画面から識別情報の表示を消し、再度、通信範囲内に存在が検出された場合に通信範囲内に存在するようになってからの時間を監視し、時間の経過に応じて情報機器２０１を示す識別情報の表示の濃淡やサイズを変更し、一定時間ずっと通信範囲内に存在し続けた場合は、表示を一定時間以上通信範囲内に存在している他の情報機器と同様の表示に戻す制御部２０６であってもよい。
【００３６】
また、制御部２０６は、情報機器２０１が情報処理装置２０３の通信範囲内に存在している場合は、格納部２０８にその情報処理装置を示す機器情報を登録し、通信範囲内に存在しなくなった場合は、格納部２０８に登録されているその情報処理装置を示す機器情報を削除する制御部２０６であってもよい。
【００３７】
また、制御部２０６は、情報機器２０１が情報処理装置２０３の通信範囲内から通信範囲外に移動した回数及び通信範囲外から通信範囲内に移動した回数を監視し、回数に応じて情報機器２０１を示す識別情報の表示の濃淡やサイズを変更する制御部２０６であってもよい。
【００３８】
また、制御部２０６は、情報機器２０１が情報処理装置２０３の通信範囲外に存在した累計時間及び通信範囲内に存在した累計時間を監視し、それぞれの累計に応じて情報機器２０１を示す識別情報の表示の濃淡やサイズを変更する制御部２０６であってもよい。
【００３９】
図５は、情報処理装置の表示画面であって、周辺に存在する情報機器を、情報機器の状態の変化に応じてアイコンの濃淡を変化して表示する一例を示す図である。
【００４０】
表示画面５０１は、携帯電話とＰＣとデジタルカメラが情報処理装置の通信範囲内に存在する情報機器であることを表示している。次に、情報処理装置の通信範囲内に存在したデジタルカメラが、通信範囲内から離脱したタイミングで表示画面５０１が表示画面５０２に変化する。この場合、デジタルカメラは、通信範囲内から離脱して、一定時間が経過していないので、半透明に表示されている。また、この場合のデジタルカメラの表示は、離脱してからの時間の経過と共に徐々に透明に近づいていく表示であってもよい。表示画面５０３は、一定時間経過してもデジタルカメラが情報処理装置の通信範囲内に復帰しなかった場合の表示画面である。表示画面５０３では、デジタルカメラが情報処理装置の通信範囲内に一定時間ずっと存在しなかったため、デジタルカメラは、表示画面から削除されている。
【００４１】
再度、デジタルカメラが情報処理装置の通信範囲内に復帰した場合は、表示画面５０３から表示画面５０２に変化し、デジタルカメラを示すアイコンは半透明に表示される。また、時間の経過と共に徐々に表示が濃くなり、一定時間が経過した後には、表示画面５０１のデジタルカメラのように表示されてもよい。
【００４２】
アイコンの表示を３段階（通常、半透明、削除）に変化するように記述したがこれだけに限らず、アイコンの表示を任意の回数変化させてもよい。
【００４３】
更に、図５では、単に「携帯電話」や「ＰＣ」などと記述したが、使用者の名前や電話番号、マシン名、アドレスなどを使用することにより、同じ種類の情報機器が複数個存在する場合でも、各々を特定する表示を行うもことも可能である。
【００４４】
また、情報処理装置の表示画面は、図６のようであってもよい。図６は、周辺に存在する情報機器を、情報機器の状態の変化に応じてアイコンのサイズの大小を変化して表示する一例を示す図である。
【００４５】
表示画面６０１は、携帯電話とＰＣとデジタルカメラが情報処理装置の通信範囲内に存在する情報機器であることを表示している。次に、情報処理装置の通信範囲内に存在したデジタルカメラが、通信範囲内から離脱したタイミングで表示画面６０１が表示画面６０２に変化する。表示画面６０２では、デジタルカメラを示すアイコンのサイズが小さく表示される。最後に、一定時間ずっとデジタルカメラが情報処理装置の通信範囲内に復帰しない場合に、表示画面６０２が表示画面６０３に変化する。表示画面６０３では、デジタルカメラを示すアイコンが表示画面から削除されている。
【００４６】
アイコンの表示を３段階（通常、小サイズ、削除）に変化するように記述したがこれだけに限らず、アイコンの表示を任意の回数変化させてもよい。
【００４７】
また、情報機器の状態として、通信範囲内に存在してからの時間と通信範囲外に存在してからの時間に基づいて判断するとしたが、離脱や参加の回数や累計時間など他の条件に基づいて判断してもよい。
【００４８】
図７は、本発明の実施の形態における情報処理装置の送受信部２０４の動作を示すフローチャートである。まず、情報処理装置は、タイマー値が一定時間を経過しているか否かの判定を行う（Ｓ７０１）。
【００４９】
一定時間を経過したと判定した場合（Ｓ７０１がＹＥＳ）、Ｓ７０２に遷移する。一方、一定時間を経過していないと判定した場合（Ｓ７０１がＮＯ）、一定時間を経過するまでＳ７０１を繰り返す。次に、制御部２０５に通知する情報である通知機器一覧を初期化する（Ｓ７０２）。
【００５０】
情報処理装置は、通信範囲内に情報機器が存在するか否かの検索を行う（Ｓ７０３）。複数の無線ネットワークをサポートしている場合、全ての無線ネットワーク内に存在する情報機器の検出を行い、検出した情報機器の識別情報を通知機器一覧に登録処理する。また、検出した情報機器の通信状態を測定し、通知機器一覧に登録処理してもよい。
【００５１】
最後に、通知機器一覧を制御部２０６に通知し（Ｓ７０４）、タイマー値を初期値に戻して（Ｓ７０５）に、Ｓ７０１に遷移する。
【００５２】
なお、検出した情報機器が０個である場合（通知機器一覧に登録なし）にも、送受信部２０４は制御部２０６への通知を行う。
【００５３】
以上の動作を行うことにより、ユーザが再検出操作を行うことなしに、常に周辺に存在する情報機器のリアルタイムな状態を取得することが可能となる。
【００５４】
図８は、本発明の実施形態における情報処理装置の制御部２０６の動作を示すフローチャートである。制御部２０６は、情報機器が情報処理装置の通信範囲内に存在している時間及び通信範囲外に存在している時間等に応じて検出機器一覧への情報機器の登録、削除及び機器情報の変更を行い、その結果を表示部２０７へ通知する動作を行う。図８を参照して、周辺の情報機器の検出結果（通知機器一覧）を送受信部２０４から受信した際の、通信機器一覧または検出機器一覧に格納されている各情報機器に対する比較登録削除の動作について説明する。
【００５５】
なお、通信機器一覧および検出機器一覧に複数の情報機器が含まれている場合、各情報機器毎に図８に示した比較／登録／削除動作を実行する。更に、表示部２０７への通知を各情報機器毎に行うとしたが、通信機器一覧および検出機器一覧に格納されている全ての情報機器に対する表示部２０７への通知をまとめて行い、全ての情報機器に対して同時に表示画面の変更を行ってもよい。
【００５６】
まず、送受信部２０４から受信した周辺の情報機器の検出結果（通知機器一覧）と格納部２０８に格納されている検出機器一覧を比較する（Ｓ８０１）。
【００５７】
検出機器一覧にあるが通知機器一覧にない場合、対象の情報機器が「離脱」したと判定し（Ｓ８０１が離脱）、離脱してからどの位時間が経過しているかを調べる（Ｓ８０８）。離脱してから一定時間が経過している場合（Ｓ８０８がＹＥＳ）、検出機器一覧から削除を行い（Ｓ８１０）、機器情報を変更して表示部２０７への通知を行い（Ｓ８１１）、処理を終了する。また、離脱してから一定時間を経過していない場合（Ｓ８０８がＮＯ）、機器情報を変更して表示部２０７への通知を行い（Ｓ８０９）、処理を終了する。
【００５８】
通知機器一覧にある場合、対象の情報機器が「参加」したと判定し（Ｓ８０１が参加）、検出機器一覧に登録済みか否かの判定を行う（Ｓ８０２）。
【００５９】
検出機器一覧に登録されていない場合（Ｓ８０２がＮＯ）、検出機器一覧に登録を行い（Ｓ８０３）、機器情報を変更して表示部２０７への通知を行い（Ｓ８０４）、処理を終了する。
【００６０】
一方、検出機器一覧に登録されている場合（Ｓ８０２がＹＥＳ）、参加してからどの位時間が経過しているかを調べる（Ｓ８０５）。参加してから一定時間を経過した場合（Ｓ８０５がＹＥＳ）、機器情報を変更して表示部２０７への通知を行い（Ｓ８０６）、処理を終了する。また、参加してから一定時間を経過していない場合（Ｓ８０５がＮＯ）、機器情報を変更して表示部２０７への通知を行い（Ｓ８０７）、処理を終了する。
【００６１】
変更される機器情報の値は、Ｓ８０４、Ｓ８０６、Ｓ８０７、Ｓ８０９、Ｓ８１１において同じであってもよいし、異なっていてもよい。
【００６２】
以上の動作を行うことにより、周辺に存在する情報機器の表示を行うだけでなく、各情報機器の状態に応じて表示を変更することが可能となる。
【００６３】
【発明の効果】
本発明にかかる情報処理装置によれば、有線及び／又は無線ネットワークを用いる情報処理装置において、周辺に存在する情報機器の表示を行うだけでなく、情報機器のネットワークへの通信状態、参加・離脱時間、参加・離脱率、参加・離脱回数等に応じて、表示を段階的に変更し、情報機器のネットワーク参加状況をユーザに分かり易く表示及び／又は通知する。
【００６４】
また、無線ネットワークを用いる情報処理装置の場合は、通信圏内外の境界付近に存在し、通信状態が悪い情報機器を検出することを可能とする。これにより、同一サービスが複数の情報機器によって提供される場合は、より通信状態のよい情報機器を選択することにより、安定したサービスの提供を受けることが可能となる。
【図面の簡単な説明】
【図１】本発明の実施の形態における無線ネットワーク通信システムの構成図
【図２】本発明の実施の形態における情報処理装置と情報機器の構成を示すブロック図
【図３】本発明の実施の形態における送受信部が通知する通知機器一覧の一例を示す図
【図４】本発明の実施の形態における格納部に格納されている機器情報の一例を示す図
【図５】本発明の実施の形態における情報処理装置が表示する表示画面の一例を示す図
【図６】本発明の実施の形態における情報処理装置が表示する表示画面の一例を示す図
【図７】本発明の実施の形態における情報処理装置の送受信部の具体的な動作手順の一例を示すフローチャート
【図８】本発明の実施の形態における情報処理装置の制御部の具体的な動作手順の一例を示すフローチャート
【図９】本発明の実施の形態における有線ネットワーク通信システムの構成図
【符号の説明】
１０１  情報処理装置
１０２  情報処理装置の通信範囲
１０３〜１０５  情報機器
２０１  情報機器
２０２  送受信部
２０３  情報処理装置
２０４  送受信部
２０５  通知部
２０６  制御部
２０７  表示部
２０８  格納部
４０１  検出機器一覧
４０２  通信状況
４０３  参加時間
４０４  離脱時間
４０５  離脱回数
５０１〜５０３，６０１〜６０３  表示画面
９０１  情報処理装置
９０２  通信ケーブル
９０３〜９０６  情報機器
【図１】
0003925156.tif 000002
【図２】
0003925156.tif 000003
【図３】
0003925156.tif 000004
【図４】
0003925156.tif 000005
【図５】
0003925156.tif 000006
【図６】
0003925156.tif 000007
【図７】
0003925156.tif 000008
【図８】
0003925156.tif 000009
【図９】
0003925156.tif 000010